(57)【要約】      （修正有）【課題】白色ＬＥＤ付きＲＧＢレーザー回転灯を提供する。【解決手段】放熱部材３３と、制御基板３０と、集光球２１と、カバー２０とを備える。放熱部材は、本体１の上部の溝に装着され、放熱部材は、左側端部にサーミスター３２と熱抵抗器１７とが設けられており、右側端部の孔にＲＧＢレーザーモジュール３１が挿設され、制御基板は、ホルダー用ねじ１３によって本体の内部に固定され、遮蔽板は、タッピングねじ８によって制御基板に連結され、モーター２８は、タッピングねじによって回転スリーブ２７に連結され、アルミニウム基板２６は、アルミニウム基板固定用ねじ１９によって支持台１５に連結されていると共に、アルミニウム基板には、ＬＥＤ素子２５が設けられ、集光球は、ねじ１８によって互いに連結され固定され、カバーは、シールリング７とタッピングねじとによって本体に連結される。【選択図】図１
0003212107.tif 000002
【実用新案登録請求の範囲】
【請求項１】
放熱部材（３３）と、制御基板（３０）と、遮蔽板（２９）と、モーター（２８）と、アルミニウム基板（２６）と、支持バー（１６）と、集光球（２１）と、カバー（２０）とを備えた白色ＬＥＤ付きＲＧＢレーザー回転灯であって、
前記放熱部材（３３）は、本体（１）の上部の溝に装着されて、ねじ（１８）によって固定して連結され、
前記放熱部材（３３）は、左側端部にサーミスター（３２）と、熱抵抗器（１７）とが設けられており、右側端部の孔にＲＧＢレーザーモジュール（３１）が挿設され、
前記制御基板（３０）は、ホルダー用ねじ（１３）によって前記本体（１）の内部に固定され、
前記遮蔽板（２９）は、タッピングねじ（８）によって前記制御基板（３０）に連結され、
前記モーター（２８）は、タッピングねじ（８）によって回転スリーブ（２７）に連結され、
前記アルミニウム基板（２６）は、アルミニウム基板固定用ねじ（１９）によって支持台（１５）に連結されていると共に、前記アルミニウム基板（２６）には、ＬＥＤ素子（２５）が設けられ、
前記支持バー（１６）は、前記支持台（１５）に挿入され、
前記集光球（２１）は、ねじ（１８）によって互いに連結され固定され、
前記カバー（２０）は、シールリング（７）とタッピングねじ（８）とによって前記本体（１）に連結されており、内部にはシールリング（７）と、ガラス平面レンズ（２２）と、星空レンズシート（２３）と、蓋（２４）とがこの順に設けられていることを特徴とする、白色ＬＥＤ付きＲＧＢレーザー回転灯。
【請求項２】
前記本体（１）の左側端部の丸穴には、シールリング（７）によってシール処理された電源線（６）と、前記本体（１）の内部にばね（２）を介して挿入されたピン（３）とが貫通されており、
前記ピン（３）には、プラスチックねじ（５）が設けられたボタン（４）が設けられていることを特徴とする、請求項１に記載の白色ＬＥＤ付きＲＧＢレーザー回転灯。
【請求項３】
前記本体（１）の底部は、タッピングねじ（８）によってベース（９）に連結され、
前記ベース（９）は、六角ノブ（１１）によってリンク（１０）に対して回動するように連結され、
前記リンク（１０）は、スパイク（１２）に連結されていることを特徴とする、請求項１に記載の白色ＬＥＤ付きＲＧＢレーザー回転灯。
【考案の詳細な説明】
【技術分野】
【０００１】
本実用新案は、照明器具の技術分野に関し、特に白色ＬＥＤ付きＲＧＢレーザー回転灯に関する。
【背景技術】
【０００２】
地面のライト、すなわち地上埋込型ライトは地面に嵌め込まれた照明設備である。地面のライトは地面又は植物等を照明して、景観をより美しくし、より安全に通行することができるようにするものである。従来の地面のライトは機能が単一的であり、一般には照明するためだけに使われており、装飾的にぼかす機能がなく、多様化したニーズを満たすことができていない。このため、白色ＬＥＤ付きＲＧＢレーザー回転灯を提供する。
【考案の概要】
【考案が解決しようとする課題】
【０００３】
本実用新案は、上述の背景技術において提示した課題を解決するために、白色ＬＥＤ付きＲＧＢレーザー回転灯を提供することを目的とする。
【課題を解決するための手段】
【０００４】
上述の目的を実現するため、本実用新案は、放熱部材と、制御基板と、遮蔽板と、モーターと、アルミニウム基板と、支持バーと、集光球と、カバーとを備えた白色ＬＥＤ付きＲＧＢレーザー回転灯であって、前記放熱部材は、本体の上部の溝に装着されて、ねじによって固定して連結され、前記放熱部材は、左側端部にサーミスターと、熱抵抗器とが設けられており、右側端部の孔にＲＧＢレーザーモジュールが挿設され、前記制御基板は、ホルダー用ねじによって前記本体の内部に固定され、前記遮蔽板は、タッピングねじによって前記制御基板に連結され、前記モーターは、タッピングねじによって回転スリーブに連結され、前記アルミニウム基板は、アルミニウム基板固定用ねじによって支持台に連結されていると共に、前記アルミニウム基板には、ＬＥＤ素子が設けられ、前記支持バーは、前記支持台に挿入され、前記集光球は、ねじによって互いに連結され固定され、前記カバーは、シールリングとタッピングねじとによって前記本体に連結されており、内部には、シールリングと、ガラス平面レンズと、星空レンズシートと、蓋とがこの順に設けられている、白色ＬＥＤ付きＲＧＢレーザー回転灯を提供する。
【０００５】
前記本体の左側端部の丸穴には、シールリングによってシール処理された電源線と、本体の内部にばねを介して挿入されたピンとが貫通されており、前記ピンには、プラスチックねじが設けられたボタンが設けられていることが好ましい。
【０００６】
前記本体の底部は、タッピングねじによってベースに連結され、前記ベースは、六角ノブによってリンクに対して回動するように連結され、前記リンクは、スパイクに連結されていることが好ましい。
【考案の効果】
【０００７】
本実用新案の技術的効果及び利点は次の通りである。この白色ＬＥＤ付きＲＧＢレーザー回転灯はレーザーとＬＥＤとを併せ持っており、次のような動作原理である。ＬＥＤ（通常は白色ＬＥＤ素子を用いる）が集光球によって多数の小さな点に集光され、さらに、モーターによって集光球が回転することで多数の小さな点が上から下へ循環して、雪が降っているような効果を生じる。集光球は円形の球体であり、球体の表面には集光レンズが複数ある。また、レーザーライトにはＲＧＢ又はそのいずれかを用いており、レンズシート（ＤＯＥ：回折格子素子）によって複数の小さな点に分散されて、背景となる。
【図面の簡単な説明】
【０００８】
【図１】本実用新案の分解構造の模式図を示す。
【図２】本実用新案の組立図を示す。
【考案を実施するための形態】
【０００９】
以下、本実用新案に係る実施形態の図面を参照して、本実用新案に係る実施形態の技術的解決手段を明確且つ完全に記載するが、記載された実施形態は本実用新案の全ての実施形態ではなく、一部の実施形態にすぎないことは言うまでもない。本実用新案に係る実施形態により、当業者が考案の努力をすることなく得られた全てのその他の実施形態も、本実用新案の保護範囲に属する。
【００１０】
本実用新案により、図１及び図２に示すような白色ＬＥＤ付きＲＧＢレーザー回転灯が提供される。これは、放熱部材３３と、制御基板３０と、遮蔽板２９と、モーター２８と、アルミニウム基板２６と、支持バー１６と、集光球２１と、カバー２０とを備えている。放熱部材３３は、本体１の上部の溝に装着されて、ねじ１８によって固定して連結されている。放熱部材３３は、左側端部にサーミスター３２と、熱抵抗器１７とが設けられており、右側端部の孔にＲＧＢレーザーモジュール３１が挿設されている。制御基板３０は、ホルダー用ねじ１３によって本体１の内部に固定されている。遮蔽板２９は、タッピングねじ８によって制御基板３０に連結されている。モーター２８は、タッピングねじ８によって回転スリーブ２７に連結されている。アルミニウム基板２６は、アルミニウム基板固定用ねじ１９によって支持台１５に連結されていると共に、アルミニウム基板２６には、ＬＥＤ素子２５が設けられている。支持バー１６は、支持台１５に挿入されている。集光球２１は、ねじ１８によって互いに連結され固定されている。カバー２０は、シールリング７とタッピングねじ８とによって本体１に連結されており、内部にはシールリング７と、ガラス平面レンズ２２と、星空レンズシート２３と、蓋２４とがこの順に設けられている。
【００１１】
本体１の左側端部の丸穴には、シールリング７によってシール処理された電源線６と、本体１の内部にばね２を介して挿入されたピン３とが貫通されている。ピン３には、プラスチックねじ５が設けられたボタン４が設けられている。
【００１２】
本体１の底部は、タッピングねじ８によってベース９に連結されている。ベース９は、六角ノブ１１によってリンク１０に対して回動するように連結されている。リンク１０は、スパイク１２に連結されている。
【産業上の利用可能性】
【００１３】
この白色ＬＥＤ付きＲＧＢレーザー回転灯はレーザーとＬＥＤとを併せ持っており、次のような動作原理である。ＬＥＤ（通常は白色ＬＥＤ素子を用いる）が集光球２１によって多数の小さな点に集光され、さらに、モーターによって集光球２１が回転することで多数の小さな点が上から下へ循環して、雪が降っているような効果を生じる。集光球２１は円形の球体であり、球体の表面には集光レンズが複数ある。また、レーザーライトにはＲＧＢ又はそのいずれかを用いており、レンズシート（ＤＯＥ）によって複数の小さな点に分散されて、背景となる。
【００１４】
なお、上述は本実用新案の好ましい実施形態にすぎず、本実用新案を限定するものではない。上述の実施形態を参照して本実用新案を詳細に説明したが、当業者にとっては上述の各実施形態に記載された技術的解決手段に対して変更をするか、又はその一部に対して均等な置換を行ってもよく、本実用新案の精神及び原則の範囲内においてなされた変更、均等な置換、改良等はいずれも本実用新案の保護範囲に含まれるものとする。
【符号の説明】
【００１５】
１  本体
２  ばね
３  ピン
４  ボタン
５  プラスチックねじ
６  電源線
７  シールリング
８  タッピングねじ
９  ベース
１０  リンク
１１  六角ノブ
１２  スパイク
１３  ホルダー用ねじ
１４  ＰＣＢ固定ねじ
１５  支持台
１６  支持バー
１７  熱抵抗器
１８  ねじ
１９  アルミニウム基板固定用ねじ
２０  カバー
２１  集光球
２２  ガラス平面レンズ
２３  星空レンズシート
２４  蓋
２５  ＬＥＤ素子
２６  アルミニウム基板
２７  回転スリーブ
２８  モーター
２９  遮蔽板
３０  制御基板
３１  ＲＧＢレーザーモジュール
３２  サーミスター
３３  放熱部材
【図１】
0003212107.tif 000003
【図２】
0003212107.tif 000004